(57)【要約】【課題】低コストで天候の変化に応じてより精度良く消費電力を制御可能な制御システム等を提供する。【解決手段】照明装置１００は、第１地点における太陽光の第１照度，第２地点における太陽光の第２照度を計測する照度計測部１１０と、雲による第１照度及び第２照度の低下を検知する検知部１１２と、を有する。サーバ２００は、第１照度の低下が検知された第１低下時刻と、第２照度の低下が検知された第２低下時刻と、第１地点と第２地点との第１距離と、太陽光発電設備が設置された家屋と第１地点または第２地点との第２距離と、に基づいて、雲が家屋に到達する到達時刻を予測する到達時刻予測部２１１を有する。制御装置５００は、予測された到達時刻に基づいて、太陽光発電設備により生成された電気エネルギーを用いて、電気機器の運転を制御する。【選択図】図５
2019205282.tif 000002
【特許請求の範囲】
【請求項１】
第１地点における太陽光の第１照度を計測する第１照度計測手段と、
前記第１照度計測手段により計測された前記第１照度に基づいて、前記第１地点に設置された第１照明手段の点灯を制御する第１点灯制御手段と、
前記第１照度計測手段により計測された前記第１照度の、雲による低下を検知する第１検知手段と、
前記第１地点と異なる第２地点における太陽光の第２照度を計測する第２照度計測手段と、
前記第２照度計測手段により計測された前記第２照度の、前記雲による低下を検知する第２検知手段と、
家屋に設置され、太陽光により電気エネルギーを生成する第１太陽光発電手段と、
前記第１太陽光発電手段により生成された電気エネルギーを用いて、前記家屋に設置された電気機器を制御する機器制御手段と、
前記第１検知手段により前記第１照度の低下が検知された第１低下時刻と、前記第２検知手段により前記第２照度の低下が検知された第２低下時刻と、前記第１地点と前記第２地点との第１距離と、前記家屋と前記第１地点または前記第２地点との第２距離と、に基づいて、前記雲が前記家屋に到達する到達時刻を予測する到達時刻予測手段と、
を備え、
前記機器制御手段は、前記到達時刻予測手段により予測された前記到達時刻に基づいて、前記電気機器の運転を制御する、
制御システム。
【請求項２】
前記第１地点及び前記第２地点と異なる第３地点における太陽光の第３照度を計測する第３照度計測手段と、
前記第３照度計測手段により計測された前記第３照度の、前記雲による低下を検知する第３検知手段と、
前記第３検知手段により前記第３照度の低下が検知された第３低下時刻と、前記第１低下時刻とが同じ時刻であるとき、前記第１地点と前記第３地点との距離に基づいて、前記雲が通過する領域を予測する雲領域予測手段と、
をさらに備え、
前記到達時刻予測手段は、前記家屋が、前記雲領域予測手段により予測された前記雲が通過する領域内に存在するとき、前記到達時刻を予測する、
請求項１に記載の制御システム。
【請求項３】
前記制御システムは、照明装置と、照度計測装置と、サーバと、をさらに備え、
前記照明装置は、
前記第１照度計測手段と、
前記第１照明手段と、
前記第１点灯制御手段と、
前記第１検知手段と、
前記第１低下時刻を前記サーバに送信する第１低下時刻送信手段と、
を備え、
前記照度計測装置は、
前記第２照度計測手段と、
前記第２検知手段と、
前記第２低下時刻を前記サーバに送信する第２低下時刻送信手段と、
を備え、
前記サーバは、前記到達時刻予測手段を備え、
前記到達時刻予測手段は、前記第１低下時刻送信手段により送信された前記第１低下時刻と、前記第２低下時刻送信手段により送信された前記第２低下時刻と、前記第１距離と、前記第２距離と、に基づいて、前記到達時刻を予測する、
請求項１または２に記載の制御システム。
【請求項４】
前記制御システムは、照明装置と、照度計測装置と、サーバと、をさらに備え、
前記照明装置は、
前記第１照度計測手段と、
前記第１照明手段と、
前記第１点灯制御手段と、
前記第１照度を定期的に前記サーバに送信する第１照度送信手段と、
を備え、
前記照度計測装置は、
前記第２照度計測手段と、
前記第２照度を定期的に前記サーバに送信する第２照度送信手段と、
を備え、
前記サーバは、
前記第１検知手段と、
前記第２検知手段と、
前記到達時刻予測手段を備え、
前記第１検知手段は、前記第１照度送信手段により送信された前記第１照度に基づいて、前記第１照度の、前記雲による低下を検知し、
前記第２検知手段は、前記第２照度送信手段により送信された前記第２照度に基づいて、前記第２照度の、前記雲による低下を検知する、
請求項１または２に記載の制御システム。
【請求項５】
前記照度計測装置は、
前記第２地点に設置された第２照明手段と、
前記第２照度計測手段により計測された前記第２照度に基づいて、前記第２照明手段の点灯を制御する第２点灯制御手段と、
をさらに備える、
請求項３または４に記載の制御システム。
【請求項６】
前記照度計測装置は、前記第２地点に設置され、太陽光により電気エネルギーを生成する第２太陽光発電手段をさらに備え、
前記第２照度計測手段は、前記第２太陽光発電手段により生成された電気エネルギーに基づいて、前記第２照度を計測する、
請求項３または４に記載の制御システム。
【請求項７】
第１地点に設置された照明装置と、前記第１地点と異なる第２地点に設置された照度計測装置と、制御装置と、に通信可能に接続されるサーバであって、
前記照明装置から、前記第１地点における太陽光の第１照度の、雲による低下が検知された第１低下時刻を受信する第１低下時刻受信手段と、
前記照度計測装置から、前記第２地点における太陽光の第２照度の、前記雲による低下が検知された第２低下時刻を受信する第２低下時刻受信手段と、
前記第１低下時刻受信手段により受信された第１低下時刻と、前記第２低下時刻受信手段により受信された第２低下時刻と、前記第１地点と前記第２地点との第１距離と、太陽光により電気エネルギーを生成する太陽光発電手段が設置された家屋と前記第１地点または前記第２地点との第２距離と、に基づいて、前記雲が前記家屋に到達する到達時刻を予測する到達時刻予測手段と、
前記到達時刻予測手段を前記制御装置に送信する到達時刻送信手段と、
を備えるサーバ。
【請求項８】
第１地点に設置された照明装置と、前記第１地点と異なる第２地点に設置された照度計測装置と、制御装置と、に通信可能に接続されるサーバであって、
前記照明装置から、前記第１地点における太陽光の第１照度を定期的に受信する第１照度受信手段と、
前記照度計測装置から、前記第２地点における太陽光の第２照度を定期的に受信する第２照度受信手段と、
前記第１照度受信手段により受信された第１照度に基づいて、前記第１照度の、雲による低下を検知し、前記第２照度受信手段により受信された第２照度に基づいて、前記第２照度の、前記雲による低下を検知する検知手段と、
前記検知手段により第１照度の低下が検知された第１低下時刻と、前記検知手段により第２照度の低下が検知された第２低下時刻と、前記第１地点と前記第２地点との第１距離と、太陽光により電気エネルギーを生成する太陽光発電手段が設置された家屋と前記第１地点または前記第２地点との第２距離と、に基づいて、前記雲が前記家屋に到達する到達時刻を予測する到達時刻予測手段と、
前記到達時刻予測手段を前記制御装置に送信する到達時刻送信手段と、
を備えるサーバ。
【請求項９】
第１地点における太陽光の第１照度を計測する第１照度計測ステップと、
前記第１照度計測ステップにおいて計測された前記第１照度に基づいて、前記第１地点に設置された第１照明手段の点灯を制御する点灯制御ステップと、
前記第１照度計測ステップにより計測された前記第１照度の、雲による低下を検知する第１検知ステップと、
前記第１地点と異なる第２地点における太陽光の第２照度を計測する第２照度計測ステップと、
前記第２照度計測ステップにより計測された前記第２照度の、前記雲による低下を検知する第２検知ステップと、
家屋に設置され、太陽光により電気エネルギーを生成する太陽光発電手段により生成された電気エネルギーを用いて、前記家屋に設置された電気機器を制御する機器制御ステップと、
前記第１検知ステップにおいて前記第１照度の低下が検知された第１低下時刻と、前記第２検知ステップにおいて前記第２照度の低下が検知された第２低下時刻と、前記第１地点と前記第２地点との第１距離と、前記家屋と前記第１地点または前記第２地点との第２距離と、に基づいて、前記雲が前記家屋に到達する到達時刻を予測する到達時刻予測ステップと、
を備え、
前記機器制御ステップは、前記到達時刻予測ステップにおいて予測された前記到達時刻に基づいて、前記電気機器の運転を制御する、
制御方法。
【請求項１０】
第１地点に設置された照明装置と、前記第１地点と異なる第２地点に設置された照度計測装置と、制御装置と、に通信可能に接続されるコンピュータを、
前記照明装置から、前記第１地点における太陽光の第１照度の、雲による低下が検知された第１低下時刻を受信する第１低下時刻受信手段、
前記照度計測装置から、前記第２地点における太陽光の第２照度の、前記雲による低下が検知された第２低下時刻を受信する第２低下時刻受信手段、
前記第１低下時刻受信手段により受信された第１低下時刻と、前記第２低下時刻受信手段により受信された第２低下時刻と、前記第１地点と前記第２地点との第１距離と、太陽光により電気エネルギーを生成する太陽光発電手段が設置された家屋と前記第１地点または前記第２地点との第２距離と、に基づいて、前記雲が前記家屋に到達する到達時刻を予測する到達時刻予測手段、
前記到達時刻予測手段を前記制御装置に送信する到達時刻送信手段、
として機能させるプログラム。
【請求項１１】
第１地点に設置された照明装置と、前記第１地点と異なる第２地点に設置された照度計測装置と、制御装置と、に通信可能に接続されるコンピュータを、
前記照明装置から、前記第１地点における太陽光の第１照度を定期的に受信する第１照度受信手段、
前記照度計測装置から、前記第２地点における太陽光の第２照度を定期的に受信する第２照度受信手段、
前記第１照度受信手段により受信された第１照度に基づいて、前記第１照度の、雲による低下を検知し、前記第２照度受信手段により受信された第２照度に基づいて、前記第２照度の、前記雲による低下を検知する検知手段、
前記検知手段により第１照度の低下が検知された第１低下時刻と、前記検知手段により第２照度の低下が検知された第２低下時刻と、前記第１地点と前記第２地点との第１距離と、太陽光により電気エネルギーを生成する太陽光発電手段が設置された家屋と前記第１地点または前記第２地点との第２距離と、に基づいて、前記雲が前記家屋に到達する到達時刻を予測する到達時刻予測手段、
前記到達時刻予測手段を前記制御装置に送信する到達時刻送信手段、
として機能させるプログラム。
【発明の詳細な説明】
【技術分野】
【０００１】
本発明は、電気機器を制御する制御システム、サーバ、制御方法、及びプログラムに関する。
【背景技術】
【０００２】
従来、太陽光発電システムを用いた電気機器の制御において、天気予報を用いて、発電量を予測し、予測された発電量に基づいて、電気機器を制御するシステムがある。このようなシステムの一例として、特許文献１は、雲の分布を予測して発電電力を予測する。
【先行技術文献】
【特許文献】
【０００３】
【特許文献１】特開２０１２−１４７５７８号公報
【発明の概要】
【発明が解決しようとする課題】
【０００４】
特許文献１では、雲の分布を予測するために、点在する太陽光発電装置の発電量を取得している。しかし、天気の急変を検知するのに十分な間隔で太陽光発電装置を点在させるには、非常にコストがかかる。
【０００５】
本発明は、上述の問題を解決するためになされたものであり、低コストで天候の変化に応じてより精度良く消費電力を制御可能な制御システム、サーバ、制御方法、及びプログラムを提供することを目的とする。
【課題を解決するための手段】
【０００６】
上記目的を達成するために、本発明に係る制御システムは、
第１地点における太陽光の第１照度を計測する第１照度計測手段と、
前記第１照度計測手段により計測された前記第１照度に基づいて、前記第１地点に設置された第１照明手段の点灯を制御する第１点灯制御手段と、
前記第１照度計測手段により計測された前記第１照度の、雲による低下を検知する第１検知手段と、
前記第１地点と異なる第２地点における太陽光の第２照度を計測する第２照度計測手段と、
前記第２照度計測手段により計測された前記第２照度の、前記雲による低下を検知する第２検知手段と、
家屋に設置され、太陽光により電気エネルギーを生成する第１太陽光発電手段と、
前記第１太陽光発電手段により生成された電気エネルギーを用いて、前記家屋に設置された電気機器を制御する機器制御手段と、
前記第１検知手段により前記第１照度の低下が検知された第１低下時刻と、前記第２検知手段により前記第２照度の低下が検知された第２低下時刻と、前記第１地点と前記第２地点との第１距離と、前記家屋と前記第１地点または前記第２地点との第２距離と、に基づいて、前記雲が前記家屋に到達する到達時刻を予測する到達時刻予測手段と、
を備え、
前記機器制御手段は、前記到達時刻予測手段により予測された前記到達時刻に基づいて、前記電気機器の運転を制御する。
【発明の効果】
【０００７】
本発明によれば、低コストで天候の変化に応じてより精度良く消費電力を制御することができる。
【図面の簡単な説明】
【０００８】
【図１】本発明の実施の形態１に係る制御システムの構成を示す図
【図２】実施の形態１に係る照明装置のハードウェア構成を示す図
【図３】実施の形態１に係るサーバのハードウェア構成を示す図
【図４】実施の形態１に係る制御装置のハードウェア構成を示す図
【図５】実施の形態１に係る照明装置、サーバ、及び制御装置の機能構成を示す図
【図６】図６（ａ）は、従来の制御システムにおける太陽光発電設備による発電量及び電気機器による消費電力量の時間推移を示す図、図６（ｂ）は、本実施の形態に係る制御システムにおける太陽光発電設備による発電量及び電気機器による消費電力量の時間推移を示す図
【図７】実施の形態１に係る制御システムが実行する電力消費制御処理を示すフローチャート
【図８】実施の形態２に係る照明装置及び家屋の配置と、雲が通過する領域について説明するための図
【図９】実施の形態２に係る照明装置、サーバ、及び制御装置の機能構成を示す図
【図１０】実施の形態３に係る照明装置、サーバ、及び制御装置の機能構成を示す図
【発明を実施するための形態】
【０００９】
以下、本発明の実施形態に係る空調システムについて、図面を参照しながら詳細に説明する。なお、各図面においては、同一または同等の部分に同一の符号を付している。
【００１０】
（実施の形態１）
図１は、本発明の実施の形態１に係る制御システム１の全体構成を示す図である。制御システム１は、照明装置１００ａ，１００ｂと、サーバ２００と、太陽光発電設備３００と、電力計測装置４００と、制御装置５００と、電気機器６００と、を備える。制御システム１は、照明装置１００ａ，１００ｂにより計測された照度が低下した時刻に基づいてサーバ２００が雲Ｃの動きを予測し、家屋Ｈに設置された制御装置５００に家屋Ｈに雲が到達する時刻を通知するシステムである。
【００１１】
照明装置１００ａ，１００ｂは、街中の電柱又は建物の屋根、その他の太陽光が到達する位置に設置される街灯である。照明装置１００ａ，１００ｂは、後述するように、照度に応じて、点灯及び消灯が制御される。照明装置１００ａが設置された第１地点の位置Ｐ１（ｘ１，ｙ１）及び照明装置１００ｂが設置された第２地点の位置Ｐ２（ｘ２，ｙ２）はそれぞれ既知であって、予めサーバ２００は照明装置１００ａ，１００ｂの位置Ｐ１，Ｐ２を記憶している。照明装置１００ａ，１００ｂは、インターネット７００を介してサーバ２００と通信可能に接続される。従って、照度に応じて点灯及び消灯が制御される既存の街灯に、サーバ２００と通信するための無線通信モジュールを組み込むことにより、照明装置１００ａ，１００ｂを構成することができる。照明装置１００ａ，１００ｂの詳細な構成は後述する。照明装置１００ａは、本発明に係る照明装置の一例であり、照明装置１００ｂは、本発明に係る照度計測装置の一例である。
【００１２】
サーバ２００は、制御装置５００のメーカ又は販売会社によって設置され、運用されるサーバコンピュータであり、一般的なＷｅｂサーバとしての機能を有し、インターネット７００に接続される。本実施の形態において、サーバ２００は、照明装置１００ａ，１００ｂからインターネット７００を介して、照度が低下した時刻を受信する。そして、サーバ２００は、受信した時刻と照明装置１００ａ，１００ｂの位置Ｐ１，Ｐ２に基づいて、雲Ｃが家屋Ｈに到達する時刻を予測し、予測した時刻をインターネット７００を介して制御装置５００に送信する。サーバ２００の詳細な構成は後述する。
【００１３】
太陽光発電設備３００は、ＰＶ（photovoltaic）パネル３０１と、パワーコンディショニングシステムであるＰＶ−ＰＣＳ３０２とを備える。ＰＶパネル３０１は、家屋Ｈの屋根の上に設置され、太陽光エネルギーを電気エネルギーに変換することで発電する。ＰＶ−ＰＣＳ３０２は、ＰＶパネル３０１の発電により生じた直流電力を交流電力に変換することで、上記の発電電力を生成し、電力線ＰＬ１を介して、分電盤８００に供給する。太陽光発電設備３００は、本発明に係る第１太陽光発電手段の一例である。
【００１４】
電力計測装置４００は、家屋Ｈに配設された電力線ＰＬ１〜ＰＬ３のそれぞれに送電される電力を計測する。電力線ＰＬ１は、商用電力系統９００と分電盤８００との間に配設される。電力線ＰＬ２は、太陽光発電設備３００と分電盤８００との間に配設される。電力線ＰＬ３は、電気機器６００と分電盤８００との間に配設される。電力計測装置４００は、電力線ＰＬ１〜ＰＬ３にそれぞれ接続されたＣＴ（Current Transformer）１〜ＣＴ３の各々と通信線を介して接続される。ＣＴ１〜ＣＴ３は、交流電流を計測するセンサである。電力計測装置４００は、ＣＴ１の計測結果に基づいて、家屋Ｈにおいて当該需要家が電気事業者から買った電力である商用電力を計測する。また、電力計測装置４００は、ＣＴ２の計測結果に基づいて、太陽光発電設備３００による発電電力を計測する。また、電力計測装置４００は、ＣＴ３の計測結果に基づいて、電気機器６００において消費される電力を計測する。
【００１５】
また、電力計測装置４００は、通信インタフェースを備え、家屋Ｈに構築されたネットワーク（以下、宅内ネットワークという。）を介して、制御装置５００と通信可能に接続する。宅内ネットワークは、例えば、エコーネットライト（ECHONET Lite）に準じたネットワークである。なお、電力計測装置４００は、外付けの通信アダプタ（図示せず）を介して、宅内ネットワークに接続されてもよい。そして、電力計測装置４００は、計測した電力を制御装置５００に送信する。なお、電力計測装置４００によって制御装置５００に送信される電力の計測値は、電力（ワット）の単位で表されるものであっても良いし、電力を予め設定された積算時間に亘って積算した電力量の単位で表されるものであってもよい。
【００１６】
制御装置５００は、家屋Ｈで使用される電力の管理を行う、いわゆる、ＨＥＭＳ（Home Energy Management System）と呼ばれるシステムを統括的に制御する制御装置である。本実施形態において、制御装置５００は、サーバ２００から受信した雲Ｃの到達時刻に応じて、家屋Ｈ内に設置された電気機器６００を制御する。制御装置５００の詳細な構成は後述する。
【００１７】
電気機器６００は、家屋Ｈ内に設置され、分電盤８００により分岐された電力線ＰＬ３を介して、商用電力系統９００及び太陽光発電設備３００と電気的に接続される。電気機器６００は、通信インタフェースを備え、上述の宅内ネットワークを介して、制御装置５００と通信する。なお、各電気機器６００は、外付けの通信アダプタ（図示せず）を介して、宅内ネットワークに接続される仕様であってもよい。各電気機器６００は、制御装置５００からの制御指示に従って運転する。
【００１８】
電気機器６００は、具体的には、空気調和機、照明機器、電気調理器、テレビ、冷蔵庫、換気設備、給湯設備、床暖房設備を含む。ただし、電気機器６００は、これらの例に限られず、電力線ＰＬ３から供給される電力によって動作し、制御装置５００と通信可能な機器であればよい。なお、図１において２つの電気機器６００が例示されているが、制御システム１に適用可能な電気機器６００の数はこれに限られず任意である。
【００１９】
次に、照明装置１００ａ，１００ｂのハードウェア構成について詳細に説明する。なお、本実施の形態において、照明装置１００ａ，１００ｂは同様の構成を有し、以下、照明装置１００ａ，１００ｂを総称して照明装置１００と呼ぶ。図２に示すように、照明装置１００は、制御部１０１と、記憶部１０２と、通信部１０３と、照明部１０４と、照度センサ部１０５と、を備える。これら各部はバス１０６を介して接続されている。
【００２０】
制御部１０１は、いずれも図示しないが、ＣＰＵ（Central Processing Unit）、ＲＯＭ（Read Only Memory）、及びＲＡＭ（Random Access Memory）を備える。制御部１０１において、ＣＰＵは、ＲＯＭに格納されたプログラム及びデータを読み出し、ＲＡＭをワークエリアとして用いて、照明装置１００を統括制御する。
【００２１】
記憶部１０２は、例えば、フラッシュメモリ、ＥＰＲＯＭ（Erasable Programmable ROM）、ＥＥＰＲＯＭ（Electrically Erasable Programmable ROM）といった不揮発性の半導体メモリ又はＨＤＤ（Hard Disk Drive）であって、いわゆる二次記憶装置としての役割を担う。記憶部１０２は、制御部１０１が各種処理を行うために使用する各種プログラム及びデータ、並びに、制御部１０１が各種処理を行うことにより生成又は取得する各種データを記憶する。
【００２２】
通信部１０３は、インターネット７００に接続するための無線通信インタフェースを備え、制御部１０１の制御のもと、インターネット７００を介してサーバ２００と通信する。
【００２３】
照明部１０４は、例えば、ＬＥＤ（Light Emitting Diode）、蛍光灯、電球といった照明器具である。照明部１０４は、制御部１０１の制御のもと、点灯または消灯する。照明部１０４は、本発明に係る第１照明手段及び第２照明手段の一例である。
【００２４】
照度センサ部１０５は、照明装置１００が設置された第１地点または第２地点における太陽光の照度を検知する照度センサを備える。照度センサ部１０５は、制御部１０１による制御のもと、照度を検知し、検知した照度のデータを制御部１０１に出力する。
【００２５】
次に、サーバ２００のハードウェア構成について詳細に説明する。図３に示すように、サーバ２００は、制御部２０１と、記憶部２０２と、通信部２０３と、を備える。これら各部はバス２０４を介して接続されている。
【００２６】
制御部２０１は、いずれも図示しないが、ＣＰＵ、ＲＯＭ、及びＲＡＭを備える。制御部２０１において、ＣＰＵは、ＲＯＭに格納されたプログラム及びデータを読み出し、ＲＡＭをワークエリアとして用いて、サーバ２００を統括制御する。
【００２７】
記憶部２０２は、例えば、フラッシュメモリ、ＥＰＲＯＭ、ＥＥＰＲＯＭといった不揮発性の半導体メモリ又はＨＤＤであって、いわゆる二次記憶装置としての役割を担う。記憶部２０２は、制御部２０１が各種処理を行うために使用する各種プログラム及びデータ、並びに、制御部２０１が各種処理を行うことにより生成又は取得する各種データを記憶する。
【００２８】
本実施の形態において、記憶部２０２は、照明装置位置情報２２１と、家屋位置情報２２２と、を記憶する。照明装置位置情報２２１は、照明装置１００の位置を表す情報である。具体的には、照明装置位置情報２２１は、照明装置１００を識別する識別情報と、照明装置１００の位置とを対応付けて含む。照明装置位置情報２２１は、予め照明装置１００から取得されてもよいし、ユーザにより入力されてもよい。家屋位置情報２２２は、家屋の位置を表す情報である。具体的には、家屋位置情報２２２は、家屋Ｈを識別する識別情報と、家屋Ｈの位置とを対応付けて含む。照明装置位置情報２２１は、予め制御装置５００から取得されてもよいし、ユーザにより入力されてもよい。
【００２９】
通信部２０３は、インターネット７００に接続するための通信インタフェースを備え、制御部２０１の制御のもと、インターネット７００を介して照明装置１００及び制御装置５００と通信する。
【００３０】
次に、制御装置５００のハードウェア構成について詳細に説明する。図４に示すように、制御装置５００は、制御部５０１と、記憶部５０２と、宅内通信部５０３と、宅外通信部５０４と、を備える。これら各部はバス５０５を介して接続されている。
【００３１】
制御部５０１は、いずれも図示しないが、ＣＰＵ、ＲＯＭ、及びＲＡＭを備える。制御部５０１において、ＣＰＵは、ＲＯＭに格納されたプログラム及びデータを読み出し、ＲＡＭをワークエリアとして用いて、制御装置５００を統括制御する。
【００３２】
記憶部５０２は、例えば、フラッシュメモリ、ＥＰＲＯＭ、ＥＥＰＲＯＭといった不揮発性の半導体メモリ又はＨＤＤであって、いわゆる二次記憶装置としての役割を担う。記憶部５０２は、制御部５０１が各種処理を行うために使用する各種プログラム及びデータ、並びに、制御部５０１が各種処理を行うことにより生成又は取得する各種データを記憶する。
【００３３】
本実施の形態において、記憶部５０２は、制御スケジュール５２１を記憶する。制御スケジュール５２１は、電気機器６００の運転を制御するためスケジュールである。制御スケジュール５２１は、電力計測装置４００により計測された電気機器６００の消費電力及び太陽光発電設備３００の発電量に基づいて、制御部５０１により適宜更新されてもよいし、ユーザにより設定されてもよい。
【００３４】
宅内通信部５０３は、家屋Ｈ内に構築された宅内ネットワークを介して通信するための通信インタフェースを備え、制御部５０１の制御のもと、太陽光発電設備３００、電力計測装置４００、及び電気機器６００のそれぞれと、宅内ネットワークを介して通信する。
【００３５】
宅外通信部５０４は、インターネット７００に接続するための通信インタフェースを備え、制御部５０１の制御のもと、インターネット７００を介してサーバ２００と通信する。
【００３６】
次に、照明装置１００、サーバ２００、及び制御装置５００の機能構成について説明する。図５は、照明装置１００、サーバ２００、及び制御装置５００の機能構成を示すブロック図である。
【００３７】
まず、照明装置１００の機能構成について説明する。図５に示すように、照明装置１００は、照度計測部１１０、点灯制御部１１１、検知部１１２、及び低下時刻送信部１１３として機能する。
【００３８】
照度計測部１１０は、照明装置１００が設置された地点における太陽光の照度を計測する。具体的には、照明装置１００ａの照度計測部１１０は、照明装置１００ａが設置された第１地点における太陽光の第１照度を計測し、照明装置１００ｂの照度計測部１１０は、照明装置１００ｂが設置された第２地点における太陽光の第２照度を計測する。照度計測部１１０は、本発明に係る第１照度計測手段及び第２照度計測手段の一例であって、制御部１０１と照度センサ部１０５とが協働することにより実現される。
【００３９】
点灯制御部１１１は、照度計測部１１０により計測された照度に基づいて、照明部１０４の点灯を制御する。具体的には、照明装置１００ａの点灯制御部１１１は、照度計測部１１０により計測された第１照度に基づいて、照明装置１００ｂの点灯制御部１１１は、照度計測部１１０により計測された第２照度に基づいて、それぞれ照明部１０４の点灯を制御する。詳細には、点灯制御部１１１は、定期的に照度計測部１１０により計測された照度を取得し、取得した照度が予め定められた閾値よりも小さいとき、照明部１０４を点灯し、取得した照度が予め定められた閾値以上であるとき、照明部１０４を消灯する。点灯制御部１１１は、本発明に係る第１点灯制御手段及び第２点灯制御手段の一例であって、制御部１０１により実現される。
【００４０】
検知部１１２は、照度計測部１１０により計測された照度の、雲Ｃによる低下を検知する。具体的には、照明装置１００ａの検知部１１２は、照度計測部１１０により計測された第１照度の、雲Ｃによる低下を検知し、照明装置１００ｂの検知部１１２は、照度計測部１１０により計測された第２照度の、雲Ｃによる低下を検知する。詳細には、検知部１１２は、定期的に照度計測部１１０により計測された照度を取得し、取得した照度が予め定められた閾値よりも小さいとき、照度が低下したと判定する。さらに、検知部１１２は、照度が低下したと判定したときの現在時刻が、予め記憶された昼間の時間帯内であるとき、雲Ｃによる照度の低下を検知した、すなわち、雲Ｃにより太陽光が遮られたため、照度の計測値が低下したと判定する。検知部１１２は、本発明に係る第１検知手段及び第２検知手段の一例であって、制御部１０１により実現される。
【００４１】
低下時刻送信部１１３は、検知部１１２より照度の低下が検知された低下時刻をサーバ２００に送信する。具体的には、照明装置１００ａの低下時刻送信部１１３は、検知部１１２により第１照度の低下が検知された第１低下時刻をサーバ２００に送信し、照明装置１００ｂの低下時刻送信部１１３は、検知部１１２により第２照度の低下が検知された第２低下時刻をサーバ２００に送信する。詳細には、低下時刻送信部１１３は、検知部１１２により照度の低下が検知されると、検知された時の現在時刻を低下時刻として特定する。そして、低下時刻送信部１１３は、予め記憶された自身の照明装置１００を識別するための識別情報と、特定された低下時刻とをサーバ２００に送信する。低下時刻送信部１１３は、本発明に係る第１低下時刻送信手段及び第２低下時刻送信手段の一例であって、制御部１０１と通信部１０３とが協働することにより実現される。
【００４２】
次に、サーバ２００の機能構成について説明する。図５に示すように、サーバ２００は、低下時刻受信部２１０、到達時刻予測部２１１、及び到達時刻送信部２１２として機能する。
【００４３】
低下時刻受信部２１０は、照明装置１００から、低下時刻を受信する。具体的には、低下時刻受信部２１０は、照明装置１００ａから、照明装置１００ａを識別するための識別情報と、第１低下時刻とを受信する。また、低下時刻受信部２１０は、照明装置１００ｂから、照明装置１００ｂを識別するための識別情報と、第２低下時刻とを受信する。低下時刻受信部２１０は、制御部２０１と通信部２０３とが協働することにより実現される。
【００４４】
到達時刻予測部２１１は、第１低下時刻と、第２低下時刻と、第１地点と第２地点との第１距離と、家屋Ｈと第１地点または第２地点との第２距離と、に基づいて、雲Ｃが家屋Ｈに到達する到達時刻を予測する。具体的には、到達時刻予測部２１１は、第１低下時刻とともに受信した照明装置１００ａの識別情報に基づいて、記憶部２０２に記憶された照明装置位置情報２２１から照明装置１００ａの位置Ｐ１（ｘ１，ｙ１）を取得する。また、到達時刻予測部２１１は、第２低下時刻とともに受信した照明装置１００ｂの識別情報に基づいて、記憶部２０２に記憶された照明装置位置情報２２１から照明装置１００ｂの位置Ｐ２（ｘ２，ｙ２）を取得する。また、到達時刻予測部２１１は、記憶部２０２に記憶された家屋位置情報２２２から家屋Ｈの位置Ｐ０（ｘ０，ｙ０）を取得する。そして、図１に示すように、到達時刻予測部２１１は、取得した位置Ｐ１，Ｐ２から、第１距離ｄ１を算出する。また、到達時刻予測部２１１は、取得した位置Ｐ０，Ｐ２から、第２距離ｄ２を算出する。そして、到達時刻予測部２１１は、第１低下時刻ｔ１、第２低下時刻ｔ２から、雲Ｃの速度ｖを以下の式により算出する。
ｖ＝ｄ１／（ｔ２−ｔ１）
そして、到達時刻予測部２１１は、雲Ｃの速度ｖから、雲Ｃが家屋Ｈに到達する到達時刻ｔ３を以下の式により算出する。
ｔ３＝ｄ２／ｖ＋ｔ２＝（ｄ２／ｄ１）×（ｔ２−ｔ１）＋ｔ２
到達時刻予測部２１１は、本発明に係る到達時刻予測手段の一例であって、制御部２０１により実現される。
【００４５】
到達時刻送信部２１２は、到達時刻予測部２１１により予測された到達時刻を制御装置５００に送信する。到達時刻送信部２１２は、制御部２０１と通信部２０３とが協働することにより実現される。
【００４６】
次に、制御装置５００の機能構成について説明する。図５に示すように、制御装置５００は、到達時刻受信部５１０、機器制御部５１１、及び制御指示送信部５１２として機能する。
【００４７】
到達時刻受信部５１０は、サーバ２００から到達時刻を受信する。到達時刻受信部５１０は、制御部５０１と宅外通信部５０４とが協働することにより実現される。
【００４８】
機器制御部５１１は、到達時刻受信部５１０により受信された到達時刻に基づいて、電気機器６００の運転を制御する。具体的には、機器制御部５１１は、記憶部５０２に記憶された制御スケジュールに基づいて、到達時刻に電気機器６００に消費される消費電力、太陽光発電設備により発電される発電電力を予測し、到達時刻における不足電力を算出する。そして、機器制御部５１１は、算出された不足電力に基づいて、発電量が消費電力量を超過しないように、制御スケジュール５２１を更新する。機器制御部５１１は、本発明に係る機器制御手段の一例であって、制御部５０１により実現される。
【００４９】
ここで、太陽光発電設備３００による発電量及び電気機器６００による消費電力量の時間推移を図６（ａ）及び（ｂ）を用いて説明する。図６（ａ）は、従来の制御システムにおける太陽光発電設備による発電量及び電気機器による消費電力量の時間推移、図６（ｂ）は、本実施の形態に係る制御システム１における太陽光発電設備３００による発電量及び電気機器６００による消費電力量の時間推移を示す。図６（ａ）に示すように、発電量に応じて、電気機器の消費電力量を制御する従来の制御システムでは、到達時刻ｔ３において天気の急変により太陽光が雲に遮られた場合、発電量は到達時刻ｔ３を境に減少するが、消費電力量は、消費電力の抑制制御も時刻ｔ３から開始するため、反応時間分のタイムラグによる電力不足分が発生する。一方、図６（ｂ）に示すように、本実施の形態に係る制御システム１では、第２低下時刻ｔ２の段階で、反応時間も考慮して、抑制制御の制御スケジュール５２１を更新することにより、消費電力量が発電量を超過することを回避することができる。
【００５０】
制御指示送信部５１２は、機器制御部５１１により更新された制御スケジュール５２１に従って、電気機器６００を制御するための制御指示を電気機器６００に送信する。制御指示送信部５１２は、制御部５０１と宅内通信部５０３とが協働することにより実現される。
【００５１】
次に、本発明の実施形態に係る制御システム１の動作について説明する。図７は、照明装置１００ａ，１００ｂ、サーバ２００、制御装置５００、及び電気機器６００により実行される電力消費制御処理の流れを表すフローチャートを示す。以下、同図を参照して電力消費制御処理を説明する。本処理は、各装置のハードウェア上でプログラムを実行することにより開始され、この処理によって各装置が実現される。本処理は、照明装置１００が雲Ｃによる照度の低下を判定したことを契機として開始する。
【００５２】
照明装置１００ａは、雲Ｃによる第１照度の低下を検知すると（ステップＳ１１）、サーバ２００に第１低下時刻を送信する（ステップＳ１２）。また、照明装置１００ｂも、雲Ｃによる第２照度の低下を検知すると（ステップＳ２１）、サーバ２００に第２低下時刻を送信する（ステップＳ２２）。
【００５３】
サーバ２００は、照明装置１００ａ，１００ｂから第１低下時刻及び第２低下時刻を受信すると（ステップＳ３１，Ｓ３２）、受信した第１低下時刻及び第２低下時刻と、照明装置１００ａ，１００ｂ及び家屋Ｈの位置とに基づいて、雲Ｃの到達時刻を予測する（ステップＳ３３）。
【００５４】
そして、サーバ２００は、予測した到達時刻を制御装置５００に送信する（ステップＳ３４）。
【００５５】
制御装置５００は、サーバ２００ら到達時刻を受信すると（ステップＳ４１）、受信した到達時刻と、現在の電気機器６００の制御スケジュール５２１と、に基づいて制御スケジュール５２１を更新する（ステップＳ４２）。
【００５６】
そして、制御装置５００は、更新した制御スケジュールに従って、電気機器６００に制御指示を送信する（ステップＳ４３）。
【００５７】
そして、電気機器６００は、制御装置５００から制御指示を受信すると（ステップＳ５１）、受信した制御指示に従って運転する（ステップＳ５２）。そして、本処理を終了する。
【００５８】
以上説明したように、本実施の形態によれば、サーバ２００は、照明装置１００ａ，１００ｂから照度が低下した時刻を受信し、照度が低下した時刻と、照明装置１００ａ，１００ｂの位置及び家屋Ｈの位置と、家屋Ｈに雲Ｃが到達する到達時刻を予測する。そして、サーバ２００は、予測した到達時刻を制御装置５００に送信し、制御装置５００は受信した到達時刻に基づいて電気機器６００の運転を制御する。従って、照度を計測する機器として、街灯といった既存の照明装置を用いることができるため、低コストで天候の変化に応じてより精度良く消費電力を制御することができる。
【００５９】
（実施の形態２）
上記の実施形態１において、照明装置１００ａ，１００ｂが一方向に並ぶ例について説明した。しかし、制御システム１に適用可能な照明装置１００の数は２つに限られず、より多くの照明装置１００を用いてもよい。特に、照明装置１００が、家屋Ｈの周囲数ｋｍ又は数十ｋｍの範囲に１００〜２００ｍ間隔で設置されることにより、家屋Ｈを中心とする全方向において雲Ｃの移動を予測することができる。さらに、照明装置１００が３つ以上ある場合、雲Ｃの幅を算出し、雲Ｃが通過する領域を予測するとともに、家屋Ｈがその領域内に存在するときに、到達時刻を送信することができる。以下の本実施の形態では、雲が通過する領域を予測する例について説明する。
【００６０】
図８を用いて、本実施の形態に係る照明装置１００及び家屋Ｈとの配置と、雲Ｃが通過する領域について説明する。なお、図８に示す例では、照明装置１００として、照明装置Ｌ１１〜Ｌ１５，Ｌ２１〜Ｌ２５，Ｌ３１〜Ｌ３４，Ｌ４１〜Ｌ４３，Ｌ５１，Ｌ５２が配置され、家屋Ｈとして、家屋Ｈ３５，Ｈ４４，Ｈ４５，Ｈ５３〜Ｈ５５が配置されている。サーバ２００は、照明装置Ｌ１１，Ｌ１２，Ｌ２１，Ｌ２２から受信した低下時刻のうち、照明装置Ｌ１２，Ｌ２１からの低下時刻が同じ時刻であると判定すると、照明装置Ｌ１２，Ｌ２１の位置に基づいて、雲Ｃの幅を算出する。そして、サーバ２００は、雲Ｃの移動方向と、雲の幅ｗとから雲Ｃが通過する領域を予測し、その領域内に存在する家屋Ｈ４４，Ｈ４５，Ｈ５４，Ｈ５５について雲Ｃの到達時刻を予測する。そして、サーバ２００は、家屋Ｈ４４，Ｈ４５，Ｈ５４，Ｈ５５の制御装置５００に予測した到達時刻を送信する。
【００６１】
次に、本実施の形態に係る照明装置１００、サーバ２００、及び制御装置５００の機能構成について説明する。図９は、照明装置１００、サーバ２００、及び制御装置５００の機能構成を示すブロック図である。図５の実施の形態１と比較して、サーバ２００は、さらに雲領域予測部２１３として機能する点で異なる。
【００６２】
さらに、本実施の形態に係る制御システム１は、照明装置１００を３以上備える点で実施の形態１と異なる。従って、図９に示す照明装置１００の照度計測部１１０及び検知部１１２は、それぞれ本発明に係る第３照度計測手段、第３検知手段の一例でもある。なお、第３照度計測手段である照度計測部１１０は、第３照度計測手段である照度計測部１１０を備える照明装置１００が設置された第３地点における太陽光の第３照度を計測する。
【００６３】
雲領域予測部２１３は、３以上の照明装置１００から受信した低下時刻のうち、２つの低下時刻が同じ時刻であるとき、その照明装置１００が設置された地点の間の距離に基づいて、雲Ｃが通過する領域を予測する。具体的には、雲領域予測部２１３は、図８に示す照明装置Ｌ１２から受信した低下時刻と、照明装置Ｌ２１から受信した低下時刻との差が、予め定められた範囲内であるとき、２つの低下時刻が同じ時刻であると判定する。そして、雲領域予測部２１３は、照明装置位置情報２２１から照明装置Ｌ１２の位置と照明装置Ｌ２１の位置とを取得し、照明装置Ｌ１２と照明装置Ｌ２１の間の距離を、雲Ｃの幅ｗとして算出する。そして雲領域予測部２１３は、低下時刻の送信元である照明装置Ｌ１１，Ｌ１２，Ｌ２１，Ｌ２２から、雲の移動方向を特定し、その移動方向であって、雲の幅ｗの領域を雲が通過する領域として特定する。雲領域予測部２１３は、本発明に係る雲領域予測手段の一例であり、制御部２０１により実現される。
【００６４】
そして、到達時刻予測部２１１は、家屋Ｈが雲領域予測部２１３により予測された雲Ｃが通過する領域内に存在するとき、その家屋Ｈへの到達時刻を予測する。具体的には、到達時刻予測部２１１は、図８に示すように、雲領域予測部２１３により予測された領域内に存在する家屋Ｈを、家屋位置情報２２２に基づいて特定する。そして、到達時刻予測部２１１は、家屋Ｈ４４，Ｈ４５，Ｈ５４，Ｈ５５が領域内に存在すると判定すると、各家屋Ｈ４４，Ｈ４５，Ｈ５４，Ｈ５５の位置に基づいて、各家屋Ｈ４４，Ｈ４５，Ｈ５４，Ｈ５５への雲Ｃの到達時刻を予測する。そして、到達時刻送信部２１２は、各家屋Ｈ４４，Ｈ４５，Ｈ５４，Ｈ５５の制御装置５００に予測した到達時刻を送信する。
【００６５】
以上の構成により、本実施の形態に係る制御システム１は、３以上の照明装置１００からの照度の低下時刻に基づいて、雲Ｃが通過する領域を予測し、その領域内の家屋Ｈについて、雲Ｃの到達時刻を予測することができる。
【００６６】
（実施の形態３）
上記の実施の形態１，２において、照明装置１００が照度の低下を検知する例について説明した。しかし、照明装置１００の代わりにサーバ２００が照度の低下を検知してもよい。以下、実施の形態３として、サーバ２００が照度の低下を検知する例について説明する。
【００６７】
次に、本実施の形態に係る照明装置１００、サーバ２００、及び制御装置５００の機能構成について説明する。図１０は、照明装置１００、サーバ２００、及び制御装置５００の機能構成を示すブロック図である。図５の実施の形態１と比較して、本実施形態に係る照明装置１００は、検知部１１２を備えず、低下時刻送信部１１３の代わりに照度送信部１１４を備える。また、本実施の形態に係るサーバ２００は、検知部２１５をさらに備える、低下時刻受信部２１０の代わりに照度受信部２１４を備える。
【００６８】
照度送信部１１４は、照度計測部１１０により計測された照度を定期的にサーバ２００に送信する。具体的には、照明装置１００ａの照度送信部１１４は、照度計測部１１０により計測された第１照度を定期的にサーバ２００に送信し、照明装置１００ｂの照度送信部１１４は、照度計測部１１０により計測された第２照度を定期的にサーバ２００に送信する。詳細には、照度送信部１１４は、予め記憶された自身の照明装置１００を識別するための識別情報と、計測された照度とを定期的にサーバ２００に送信する。照度送信部１１４は、本発明に係る第１照度送信手段及び第２照度送信手段の一例であって、制御部１０１と通信部１０３とが協働することにより実現される。
【００６９】
照度受信部２１４は、照明装置１００から、定期的に照度を受信する。具体的には、照度受信部２１４は、照明装置１００ａから、照明装置１００ａを識別するための識別情報と、第１照度とを受信する。また、照度受信部２１４は、照明装置１００ｂから、照明装置１００ｂを識別するための識別情報と、第２照度とを受信する。照度受信部２１４は、本発明に係る第１照度受信手段及び第２照度受信手段の一例であって、制御部２０１と通信部２０３とが協働することにより実現される。
【００７０】
検知部２１５は、照度受信部２１４により受信された照度に基づいて、雲Ｃによる照度の低下を検知する。具体的には、検知部２１５は、照明装置１００ａから定期的に送信された第１照度に基づいて、第１照度の低下を検知する。また、検知部２１５は、照明装置１００ｂから定期的に送信された第２照度に基づいて、第２照度の低下を検知する。照度の低下を検知する方法は、実施の形態１と同様の方法を採用することができる。検知部２１５は、本発明に係る第１検知手段及び第２検知手段の一例であって、制御部２０１により実現される。
【００７１】
そして、到達時刻予測部２１１は、検知部２１５により第１照度の低下が検知された時刻を第１低下時刻、第２照度の低下が検知された時刻を第２低下時刻として、実施の形態１と同様に雲Ｃの到達時刻を予測する。
【００７２】
以上の構成により、本実施の形態に係る制御システム１は、サーバ２００が定期的に照明装置１００から照度を受信することにより、照度の低下を検知し、その照度の低下を検知した時刻に基づいて、雲Ｃの到達時刻を予測することができる。
【００７３】
以上に本発明の実施形態について説明したが、上記実施形態は一例であり、本発明の適用範囲はこれに限られない。即ち、本発明の実施形態は種々の応用が可能であり、あらゆる実施の形態が本発明の範囲に含まれる。
【００７４】
例えば、上記の実施の形態１〜３において、２以上の照明装置１００が照度を計測し、計測した照度の低下、または照度をサーバ２００に送信する例を説明した。しかし、２以上の照明装置１００のうち、一部は照明機能を持たなくてもよい。例えば、既存の太陽光発電設備を用いて、本発明に係る照度計測装置を実現してもよい。この場合、太陽光により電気エネルギーを生成するＰＶパネルにより、本発明に係る第２太陽光発電手段を実現し、ＰＶパネルにより生成された電気エネルギーに基づいて、照度を計測することにより、本発明に係る第２照度計測手段を実現することができる。
【００７５】
また、上記の実施の形態１〜３において、照明装置１００の位置は、予め記憶部２０２に照明装置位置情報２２１として記憶されている例について説明した。しかし、照明装置１００の位置は、予め記憶部２０２に記憶されていなくもてよく、例えば、照明装置１００が、低下時刻、または照度とともに、記憶部１０２に予め記憶された自装置の識別情報をサーバ２００に送信してもよい。
【００７６】
また、サーバ２００は、雲Ｃの到達時刻とともに、雲Ｃが通過する領域を表す情報を制御装置５００に送信してもよい。この場合、制御装置５００は、家屋Ｈが雲Ｃが通過する領域のうち、どの位置に存在するのかに応じて、電気機器６００の制御内容を異ならせてもよい。すなわち、家屋Ｈが雲の中心に入る位置に存在するのか、雲の端付近がかかる位置に存在するのかによって、照度低下の発生確率または度合が異なると考えられる。そのため、制御装置５００は、雲Ｃが通過する領域と家屋Ｈの位置とに基づいて、照度低下の発生確率または度合を算出し、その発生確率または度合に応じて、電気機器６００の制御スケジュールを更新してもよい。
【００７７】
また、上記実施の形態１〜３のサーバ２００の機能の全部または一部を、制御装置５００が実現してもよい。
【００７８】
なお、本発明に係る機能を実現するための構成を予め備えたサーバ２００が提供できることはもとより、プログラムの適用により、既存のパーソナルコンピュータ又は情報端末機器等を、本発明に係るサーバ２００として機能させることもできる。即ち、上記実施形態で例示したサーバ２００による各機能構成を実現させるためのプログラムを、既存のパーソナルコンピュータ又は情報端末機器を制御するＣＰＵ等が実行できるように、既存のパーソナルコンピュータ又は情報端末機器に適用することで、本発明に係るサーバ２００として機能させることができる。また、本発明に係る制御方法は、サーバ２００を用いて実施できる。
【００７９】
また、このようなプログラムの適用方法は任意である。プログラムを、例えば、コンピュータが読取可能な記録媒体［ＣＤ−ＲＯＭ（Compact Disc Read-Only Memory）、ＤＶＤ（Digital Versatile Disc）、ＭＯ（Magneto Optical disc）等］に格納して適用できる他、インターネット等のネットワーク上のストレージにプログラムを格納しておき、これをダウンロードさせることにより適用することもできる。
【符号の説明】
【００８０】
１  制御システム、１００，１００ａ，１００ｂ  照明装置、１０１  制御部、１０２  記憶部、１０３  通信部、１０４  照明部、１０５  照度センサ部、１０６  バス、１１０  照度計測部、１１１  点灯制御部、１１２  検知部、１１３  低下時刻送信部、１１４  照度送信部、２００  サーバ、２０１  制御部、２０２  記憶部、２０３  通信部、２０４  バス、２１０  低下時刻受信部、２１１  到達時刻予測部、２１２  到達時刻送信部、２１３  雲領域予測部、２１４  照度受信部、２１５  検知部、２２１  照明装置位置情報、２２２  家屋位置情報、３００  太陽光発電設備、３０１  ＰＶパネル、３０２  ＰＶ−ＰＣＳ、４００  電力計測装置、５００  制御装置、５０１  制御部、５０２  記憶部、５０３  宅内通信部、５０４  宅外通信部、５０５  バス、５１０  到達時刻受信部、５１１  機器制御部、５１２  制御指示部、５２１  制御スケジュール、６００  電気機器、７００  インターネット、８００  分電盤、９００  商用電力系統
【図１】
2019205282.tif 000003
【図２】
2019205282.tif 000004
【図３】
2019205282.tif 000005
【図４】
2019205282.tif 000006
【図５】
2019205282.tif 000007
【図６】
2019205282.tif 000008
【図７】
2019205282.tif 000009
【図８】
2019205282.tif 000010
【図９】
2019205282.tif 000011
【図１０】
2019205282.tif 000012